(57)【要約】      （修正有）【課題】内ナットの脱落を防止し、緩み止めの効果を得るグリップナットを提供する。【解決手段】内ナットテーパー面１２は、内ナット１０の外周面に設けられ、ネジ穴１１に対するボルト３０の挿入方向の入口側から出口側に向かって拡径している。フランジ１３は、ネジ穴に対するボルトの挿入方向の出口側に、内ナットの径方向に沿って放射状に突出している。第一の回り止め部１４は、内ナットの外周面の所定の位置に設けられ、凹状である。外ナットテーパー面２２は、貫通孔２１の内周面に設けられ、貫通孔に対するボルトの挿入方向の入口側から出口側に向かって拡径し、内ナットの内ナットテーパー面と合致する。装着溝部２３は、貫通孔に対するボルトの挿入方向の出口側に、外ナット２０の径方向に沿って放射状に切り欠きされ、内ナットのフランジが装着可能である。第二の回り止め部２４は、貫通孔の内周面の所定の位置に設けられ、凸状であり、第一の回り止め部に合致可能である。【選択図】図１
0003232253.tif 000002
【実用新案登録請求の範囲】
【請求項１】
内ナットと外ナットと、を備えるグリップナットであって、
前記内ナットは、
前記内ナットの中央に、前記内ナットの軸方向に沿って設けられたネジ穴と、
前記内ナットの外周面に設けられ、前記ネジ穴に対するボルトの挿入方向の入口側から出口側に向かって拡径した内ナットテーパー面と、
前記ネジ穴に対する前記ボルトの挿入方向の出口側に、前記内ナットの径方向に沿って放射状に突出したフランジと、
前記内ナットの外周面の所定の位置に設けられ、凹状又は凸状である第一の回り止め部と、を備え、
前記外ナットは、
前記外ナットの中央に、前記外ナットの軸方向に沿って設けられ、前記内ナットが収納可能な貫通孔と、
前記貫通孔の内周面に設けられ、前記貫通孔に対する前記ボルトの挿入方向の入口側から出口側に向かって拡径し、前記内ナットの内ナットテーパー面と合致する外ナットテーパー面と、
前記貫通孔に対する前記ボルトの挿入方向の出口側に、前記外ナットの径方向に沿って放射状に切り欠きされ、前記内ナットのフランジが装着可能な装着溝部と、
前記貫通孔の内周面の所定の位置に設けられ、凸状又は凹状であり、前記第一の回り止め部に合致可能な第二の回り止め部と、
を備える、
グリップナット。
【考案の詳細な説明】
【技術分野】
【０００１】
本考案は、グリップナットに関する。
【背景技術】
【０００２】
従来より、緩み止めを防止するためのグリップナット（緩み止めナット）が市場に流通しており、簡単な構造で緩み止め効果を向上させるグリップナットの技術が存在する。例えば、実用新案登録第３１４７４２４号公報（特許文献１）には、外ナット１０と、この外ナット１０に収容される内ナット２０と、からなる複合ナット１が開示されている。この外ナット１０は、ボルトの入口側から出口側に向けて軸方向に拡径し、かつ周方向に均一径のテーパー形の内ナット嵌合孔１１と、この内ナット嵌合孔１１から内向きに突出する回り止め部１３と、を有する。又、内ナット２０は、ボルトの入口側から出口側に向けて軸方向に拡径し、かつ周方向に均一径の外周テーパー面２１と、ボルトがねじ合わされる軸方向の貫通ねじ孔２２と、外周テーパー面２１と貫通ねじ孔２２間を連通し、回り止め部１３がはめ込まれる分断部２３と、を有する。これにより、内ナット１０の肉厚が周方向にほぼ均一になるため、ボルトＢへナット１をねじ込み、その内ナット２０が外ナット１０に引き込まれて縮径する際に、縮径の度合いが周方向でほぼ均等になり、その結果、内ナット２０全周がほぼ隙間なくボルトＢを抱きこんで、高い緩み止め効果が得られるとしている。又、外ナット１０の内ナット嵌合孔１１、内ナット２０の外周テーパー面２１は構造が簡単であるため、複合ナット１は、工作機械等による加工が容易であり、外ナット１０と内ナット２０の摩擦が小さく、ボルトＢへのねじ込みがスムーズにおこなわれるとしている。
【０００３】
又、特開平９−２１００３９号公報（特許文献２）には、テーパー状の透孔を有する受け金具と、ボルトに螺合するメネジを有する軸孔と、受け金具の透孔に対応したテーパー外面を有し、受け金具に密嵌される締め付け金具とよりなる緩み止ナットが開示されている。この受け金具の透孔はボルトの頭部側が小径とされ、締め付け金具の基端は回転工具が係止し得る形状とされ、端部に軸と平行なスリットが形成され、締め付け金具の軸穴周壁がボルト周壁に圧着するように構成されている。これにより、締め付け金具の軸孔をボルトに螺合させて締め付けると、締め付け金具のテーパー外面が受け金具のテーパー面に圧着してボルト方向へ弾性変形し、その結果、締め付け金具の軸孔壁面がボルトに圧着し、ボルトと一体化することとなり、大きな耐振力が得られるとしている。
【０００４】
又、特開２００４−３４０１６５号公報（特許文献３）には、ボルト８と、ボルト８の呼び径よりもやや大きい偏心貫通孔９を有した円錐体１０の薄肉部に欠円用スリット１２を縦設したブッシュ１３と、座面との対峙しない半部分の内周の直径を、ブッシュ１３の先端部の外周の直径よりも小さくし、座面との対峙する側の半部分の開口の直径をブッシュ１３の下部の外周の直径よりも小さくしたブッシュ１３の円錐傾斜角度と同一傾斜角度のテーパー部面を有する円錐状孔部１４を、ボルト８のネジ部８ａと螺合するメネジ部１５ａの下部に開設したナット１５からなる緩み止め締結具が開示されている。これにより、局部的に集中させた強力な摩擦並びにナット上端に、ナットの傾斜姿勢押し付けによるピッチ不一致から成る、所謂、ピッチロス現象にて「戻し回転」阻止能を突極的に高めるとしている。
【０００５】
又、特開２０１０−１０６８７８号公報（特許文献４）には、共通のネジ軸に螺合される内ナットおよび外ナットを備える緩み止めナットが開示されている。内ナットは、中心にネジ軸が螺合されるネジ孔を有する円環状に形成され、かつ円環の、ネジ孔を取り囲む外周面がネジ孔と同軸の円錐周面とされていると共に、円環が、周上の１箇所に設けたスリットによって切り欠かれている。外ナットは、ネジ軸が螺合されるネジ孔と、ネジ孔の一方の開口側に連成され、内周面がネジ孔と同軸の円錐周面とされて内ナットが嵌め合わされる凹部とを有する。（１）内ナットの円錐周面に、円錐の母線より径方向外方に突出させて一体に形成された突出部、及び（２）外ナットの円錐周面に、円錐の母線より径方向内方に突出させて一体に形成された突出部、のうちの少なくとも一方を備えている。これにより、内ナットと外ナットの円錐周面間で焼き付きを生じないため、一度締め付けに使用した後に緩めたり取り外したりするのが容易である上、その後に再び締め付けに使用した際に、初回の締め付け時と同等程度のロッキング力を生じさせて確実に緩み止めをすることができるため、再使用が可能な緩み止めナットを提供することができるとしている。
【先行技術文献】
【特許文献】
【０００６】
【特許文献１】実用新案登録第３１４７４２４号公報
【特許文献２】特開平９−２１００３９号公報
【特許文献３】特開２００４−３４０１６５号公報
【特許文献４】特開２０１０−１０６８７８号公報
【考案の概要】
【考案が解決しようとする課題】
【０００７】
上述の特許文献１−４に記載の技術のように、グリップナットに関する多種多様な技術は存在するものの、緩み止めの効果が得難いものやボルトに損傷が生じ易いもの、グリップナットが２点に分離しており作業し難いもの等、いずれの技術も一長一短である。
【０００８】
ここで、内ナットと外ナットで構成される２点のグリップナットでは、ボルトをグリップナットに締結する際に、内ナットが外ナットから脱落するおそれがあり、ボルトをグリップナットに締結し難いという課題がある。上述の特許文献１−４に記載の技術では、内ナットが外ナットから分かれているため、同様の課題が生じる。
【０００９】
そこで、本考案は、課題を解決するためになされたものであり、内ナットの脱落を確実に防止するとともに、緩み止めの効果を得ることが可能なグリップナットを提供することを目的とする。
【課題を解決するための手段】
【００１０】
本考案に係るグリップナットは、内ナットと外ナットと、を備える。内ナットは、ネジ穴と、内ナットテーパー面と、フランジと、第一の回り止め部と、を備える。ネジ穴は、前記内ナットの中央に、前記内ナットの軸方向に沿って設けられている。内ナットテーパー面は、前記内ナットの外周面に設けられ、前記ネジ穴に対するボルトの挿入方向の入口側から出口側に向かって拡径している。フランジは、前記ネジ穴に対する前記ボルトの挿入方向の出口側に、前記内ナットの径方向に沿って放射状に突出している。第一の回り止め部は、前記内ナットの外周面の所定の位置に設けられ、凹状又は凸状である。
【００１１】
又、外ナットは、貫通孔と、外ナットテーパー面と、装着溝部と、第二の回り止め部と、を備える。貫通孔は、前記外ナットの中央に、前記外ナットの軸方向に沿って設けられ、前記内ナットが収納可能である。外ナットテーパー面は、前記貫通孔の内周面に設けられ、前記貫通孔に対する前記ボルトの挿入方向の入口側から出口側に向かって拡径し、前記内ナットの内ナットテーパー面と合致する。装着溝部は、前記貫通孔に対する前記ボルトの挿入方向の出口側に、前記外ナットの径方向に沿って放射状に切り欠きされ、前記内ナットのフランジが装着可能である。第二の回り止め部は、前記貫通孔の内周面の所定の位置に設けられ、凸状又は凹状であり、前記第一の回り止め部に合致可能である。
【考案の効果】
【００１２】
本考案によれば、内ナットの脱落を確実に防止するとともに、緩み止めの効果を得ることが可能となる。
【図面の簡単な説明】
【００１３】
【図１】本考案の実施形態に係るグリップナットの展開図とＡ−Ａ線断面図とＢ−Ｂ線断面図とＣ−Ｃ線断面図とである。
【図２】本考案の実施形態に係るグリップナットのボルト締結時のＢ−Ｂ線断面図とＣ−Ｃ線断面図とである。
【図３】本考案の実施形態に係るグリップナットのフランジと装着溝部とを設計変更した場合の展開図（図３Ａ）と、内ナットテーパー面と外ナットテーパー面とを設計変更した場合の展開図（図３Ｂ）と、である。
【図４】本考案の実施形態に係るグリップナットのフランジと装着溝部とをはめ込み式に設計変更した場合の展開図（図４Ａ）と、断面図（図４Ｂ）と、である。
【図５】本考案の実施形態に係るグリップナットの装着溝部を設計変更した場合の断面図（図５Ａ）と、装着溝部にリングを加えた場合の断面図（図５Ｂ）と、である。
【図６】本考案の実施例に係るグリップナットの内ナットの写真である。
【図７】本考案の実施例に係るグリップナットの内ナットと外ナットの写真である。
【図８】本考案の実施例に係るグリップナットの内ナットを外ナットに装着した場合の写真である。
【考案を実施するための形態】
【００１４】
以下に、添付図面を参照して、本考案の実施形態について説明し、本考案の理解に供する。尚、以下の実施形態は、本考案を具体化した一例であって、本考案の技術的範囲を限定する性格のものではない。
【００１５】
本考案に係るグリップナット１（複合ナット、緩み止めナット）は、図１に示すように、内ナット１０と外ナット２０とを備える。
【００１６】
ここで、内ナット１０は、ネジ穴１１と、内ナットテーパー面１２と、フランジ１３と、第一の回り止め部１４と、を備える。
【００１７】
ネジ穴１１は、内ナット１０の中央に、内ナット１０の軸方向に沿って設けられている。内ナットテーパー面１２は、内ナット１０の外周面に設けられ、ネジ穴１１に対するボルト３０の挿入方向の入口側から出口側に向かって拡径している。フランジ１３は、ネジ穴１１に対するボルト３０の挿入方向の出口側に、内ナット１０の径方向に沿って放射状に突出している。第一の回り止め部１４は、内ナット１０の外周面の所定の位置に設けられ、凹状である。
【００１８】
図１では、内ナットテーパー面１２は、円錐の外周面として構成されている。フランジ１３は、平面視で、円形である。第一の回り止め部１４は、内ナット１０の所定の位置から内ナット１０の軸方向に沿って分断された分断部１４ａとして構成されている。
【００１９】
又、外ナット２０は、貫通孔２１と、外ナットテーパー面２２と、装着溝部２３と、第二の回り止め部２４と、を備える。
【００２０】
貫通孔２１は、外ナット２０の中央に、外ナット２０の軸方向に沿って設けられ、内ナット１０が収納可能である。外ナットテーパー面２２は、貫通孔２０の内周面に設けられ、貫通孔２０に対するボルト３０の挿入方向の入口側から出口側に向かって拡径し、内ナット１０の内ナットテーパー面１２と合致する。装着溝部２３は、貫通孔２０に対するボルト３０の挿入方向の出口側に、外ナット２０の径方向に沿って放射状に切り欠きされ、内ナット１０のフランジ１３が装着可能である。第二の回り止め部２４は、貫通孔２１の内周面の所定の位置に設けられ、凸状であり、第一の回り止め部１４に合致可能である。
【００２１】
図１では、外ナットテーパー面２２は、内ナットテーパー面１２と同様に、円錐の外周面として構成されている。装着溝部２３は、断面視で、外ナット２０の径方向に対してコの字状で、平面視で、円環状の溝を構成している。第二の回り止め部２４は、外ナット２０の貫通孔２１の近傍に、外ナット２０の軸方向に沿って設けられた貫通小孔２４ａと、貫通小孔２４ａに差し込まれて固定されるパイプ体２４ｂと、を備え、パイプ体２４ｂが貫通小孔２４ａに差し込まれると、パイプ体２４ｂの一部は、貫通孔２１の内周面から中心に向かって突出し、第一の回り止め部１４の分断部１４ａに引っ掛かるように構成される。
【００２２】
これにより、内ナットの脱落を確実に防止するとともに、緩み止めの効果を得ることが可能となる。
【００２３】
即ち、内ナット１０を外ナット２０の貫通孔２１に収納するとともに、内ナット１０のフランジ１３を、外ナット２０の装着溝部２３に装着することで、内ナット１０は外ナット２０に固定される。つまり、内ナット１０のフランジ１３は外ナット２０の装着溝部２３に嵌め込まれるようにしている。そのため、内ナット１０を外ナット２０と一体のものとして構成し、一般のナットと同様にボルト３０の締結を行うことが出来る。又、内ナット１０のフランジ１３は、外ナット２０の装着溝部２３に装着されることで、内ナット１０が外ナット２０から脱落することを確実に防止することが出来る。
【００２４】
ここで、内ナット１０の第一の回り止め部１４の分断部１４ａを、外ナット２０の第二の回り止め部２４のパイプ体２４ｂに合わせることで、第二の回り止め部２４のパイプ体２４ｂが第一の回り止め部１４の分断部１４ａに収まり、内ナット１０が外ナット２０に対して空回りしないようにする。
【００２５】
そして、図２に示すように、対象物４０の貫通孔４１にボルト３０を挿入して、外ナット２０に収納された内ナット１０のネジ穴１１をボルト３０のネジ山３１に合わせて、工具等を用いて、ボルト３０を回転させると、ボルト３０の締結時において、内ナット１０の第一の回り止め部１４が外ナット２０の第二の回り止め部２４に合致して、内ナット１０が回り止めされ、ボルト３０の締め付け応力（トルク）が内ナット１０に伝達される。すると、内ナット１０が外ナット２０の貫通孔２１の奥への引き込まれると同時に、内ナット１０が軸心に向かって収縮していく。
【００２６】
ここで、内ナット１０の内ナットテーパー面１２が外ナット２０の外ナットテーパー面２２に合致し、内ナット１０は、全周方向で均等に収縮する。そのため、内ナット１０は、ボルト３０を全集で握り込みながら、一方で、締め付け応力の集中を緩和しながら、ボルト３０と螺合されるため、高い緩み止めの効果を得ることが出来るのである。
【００２７】
又、ボルト３０の締結時において、内ナット１０のネジ穴１１が軸心に向かって収縮する際に、分断部１４ａは、内ナット１０の所定の位置から内ナット１０の軸方向に沿って分断しているため、ネジ穴１１の収縮に対応して、ボルト３０のネジ山３１をしっかりと抱き込むように、ネジ穴１１を作用させることが出来る。そのため、この場合、分断部１４ａは、第一の回り止め部１４としての機能と、ネジ穴１１をネジ山３１に締め付ける機能とを兼ね備えることになる。
【００２８】
通常、ボルトとナットには、必ず、寸法公差が存在する。これが、ボルトのネジ山の間に一定の隙間を生じさせるため、ナットに対してボルトの締結時に、ボルトのネジ山がナットのネジ穴に焼け付かないようにする必要がある。一方、ステンレス製のボルトやナットを電動機等の工具で締め付けると、ボルトのネジ山とナットのネジ穴との間で摩擦による熱が発生し、その熱がネジ山とネジ穴を膨脹させ、ネジ山とネジ穴が密着して動かなくなる。この状態をかじり（焼き付け）と言う。このかじりの発生により、ボルトの締結後に、ネジ山の隙間が原因となり、ネジ緩みが発生し得る。本考案では、内ナット１０を外ナット２０と一体化して、内ナット１０の脱落防止としているとともに、内ナット１０の内ナットテーパー面１２を外ナット２０の外ナットテーパー面２２に合わせた上で、内ナット１０のネジ穴１１をボルト３０のネジ山３１に螺合させる。これにより、ネジの締結作業は、一般のナットと全く変わらずにスムーズに行うことが可能であるとともに、かじりの発生を抑えることが出来る。
【００２９】
ここで、図１では、フランジ１３を平面視で円形とし、装着溝部２３を平面視で円環状の溝に構成したが、これに限定する必要は無く、例えば、フランジ１３を、平面視で、正三角形、正四角形、正六角形、正十角形、正多角形、十字形、歯車形等の形状にしても良く、装着溝部２３を、フランジ１３の形状に対応した形状の溝に構成しても構わない。
【００３０】
又、図１では、フランジ１３を、断面視でコの字状の角型とし、装着溝部２３を、断面視でコの字状の溝型としたが、これに限定する必要は無く、例えば、フランジ１３を、断面視でＵの字状の丸型とし、装着溝部２３を、断面視でＵの字状の溝型とし手も良く、その形状はどのように構成しても構わない。
【００３１】
又、図３Ａに示すように、フランジ１３に、セレーション（鋸歯状）を設けても良く、装着溝部２３も、フランジ１３のセレーションに対応した形状となる。ここで、フランジ１３が装着溝部２３に合致するため、フランジ１３が凸状の第一の回り止め部１４として機能し、装着溝部２３が凹状の第二の回り止め部２４として機能する。すると、図１に示すように、貫通小孔２４ａとパイプ体２４ｂは不要となる。分断部１４ａは、例えば、内ナット１０が軸心に向かって収縮する際に、内ナット１０の収縮を適度に行わせるために、上述の締め付けの機能を行わせることが出来る。
【００３２】
一方、上述のように、第一の回り止め部２４と第二の回り止め部２４とをフランジ１３と装着溝部２３に対して別体として構成する場合、第一の回り止め部１４の分断部１４ａや第二の回り止め部２４の貫通小孔２４ａとパイプ体２４ｂの構成に特に限定は無い。分断部１４ａの形状を変更させた場合、分断部１４ａの形状に合わせて貫通小孔２４ａとパイプ体２４ｂの構成や形状を適宜変更すれば良い。
【００３３】
又、図１では、内ナットテーパー面１２と、外ナットテーパー面２２は、円錐の外周面に対応しているが、これに限定する必要は無く、例えば、図３Ｂに示すように、内ナットテーパー面１２と、外ナットテーパー面２２は、六角錐等の多角錐の外周面に対応しても構わない。この場合は、内ナットテーパー面１２の多角錐の外周面に存在する角部が、外ナットテーパー面２２の多角錐の内周面に存在する角部と合致するため、内ナットテーパー面１２が、凸状の第一の回り止め部１４として機能し、外ナットテーパー面２２が凹状の第二の回り止め部２４として機能する。すると、図１に示すように、貫通小孔２４ａとパイプ体２４ｂは不要となる。
【００３４】
又、フランジ１３に、分断部１４ａに加えて、図４Ａに示すように、フランジ１３に、凸状の突起を放射状に４つ設け、４つの突起を第一の回り止め部１４ｂとして構成し、装着溝部２３に、第一の回り止め部１４ｂがはめ込み可能な凹状の窪み２４を放射状に４つ設けても構わない。これにより、図４Ｂに示すように、内ナット１０のフランジ１３を外ナット２０の装着溝部２３に装着するとともに、フランジ１３の突起１４ｂを装着溝部２３の窪み２４にはめ込むことで、突起１４ｂが窪み２４に合致するため、突起１４ｂが凸状の第一の回り止め部１４として機能し、窪み２４が凹状の第二の回り止め部２４として機能する。すると、図１に示すように、貫通小孔２４ａとパイプ体２４ｂは不要となる。尚、分断部１４ａは、上述の締め付けの機能を行わせるために設けている。
【００３５】
ところで、図１では、装着溝部２３は、断面視で、外ナット２０の径方向に対してコの字状で、平面視で、円環状の溝を構成しているため、平面視で、コの字の上面に壁面が設けられる。このような溝の構成は、加工が困難である場合があるため、例えば、図５Ａに示すように、装着溝部２３は、貫通孔２０に対するボルト３０の挿入方向の出口側に、外ナット２０の上面（平面）から、外ナット２０の径方向に沿って放射状に切り欠きされ、断面視で、外ナット２０の径方向に対してＬの字状で、平面視で、円環状の段差部２３ａを構成し、段差部２３ａの外側で、外ナット２０の上面に延出して設けられた円環状の突出部２３ｂ（ツバ部）を構成しても良い。この場合、内ナット１０のフランジ１３を、外ナット２０の段差部２３ａに装着し、次に、突出部２３ｂをフランジ１３に向けて折り曲げてかしめることで、段差部２３ａと突出部２３ｂとは、断面視で、外ナット２０の径方向に対してコの字状となるため、外ナット２０に対して内ナット１０の脱落防止として機能させ、内ナット１０と外ナット２０とをグリップナット１として一体化することが出来る。
【００３６】
又、装着溝部２３に、更に、円環状のリング２３ｃを設けても良い。この場合、例えば、図５Ｂに示すように、内ナット１０のフランジ１３を、外ナット２０の段差部２３ａに装着し、次に、リング２３ｃをフランジ１３の上面に設置し、その後、突出部２３ｂをリング２３ｃに向けて折り曲げる。これにより、上述と同様に、外ナット２０に対して内ナット１０の脱落防止として機能させ、内ナット１０と外ナット２０とをグリップナット１として一体化することが出来る。尚、リング２３ｃの構成に特に限定は無く、例えば、スプリングリングや二重リング等を挙げることが出来る。
【００３７】
又、外ナット２０には、貫通孔２０に対するボルト３０の挿入方向の入口側に、外ナット２０の径方向に沿って内側に延出されたストッパ２５を更に備えても良い。これにより、内ナット１０が外ナット２０の貫通孔２１の内部に過度に嵌まり込んだとしても、ストッパ２５が内ナット１０の下面に当接して、内ナット１０の嵌まり込みを停止させる。これにより、内ナット１０が過度に収縮して、ボルト３０への締め付けが過大になることを防止することが出来る。
【００３８】
さて、実施例として、図１に基いて、図６−８に示すように、本考案に係るグリップナット１を作成した。作成したグリップナット１では、内ナット１０と外ナット２０とをグリップナット１として一体化するため、外ナット２０からの内ナット１０の脱落を確実に防止ことが出来た。又、内ナット１０のネジ穴１１にボルト３０のネジ山３１を螺合させたところ、緩み止めの効果を得ることが出来た。
【００３９】
又、本考案の実施形態では、グリップナット１の構成に、更に、他の機能や他のデザインを追加しても構わない。
【産業上の利用可能性】
【００４０】
以上のように、本考案は、グリップナットとして有用であり、内ナットの脱落を確実に防止するとともに、緩み止めの効果を得ることが可能なグリップナットとして有効である。
【符号の説明】
【００４１】
１    グリップナット
１０  内ナット
１１  ネジ穴
１２  内ナットテーパー面
１３  フランジ
１４  第一の回り止め部
２０  外ナット
２１  貫通孔
２２  外ナットテーパー面
２３  装着溝部
２４  第二の回り止め部
【図１】
0003232253.tif 000003
【図２】
0003232253.tif 000004
【図３】
0003232253.tif 000005
【図４】
0003232253.tif 000006
【図５】
0003232253.tif 000007
【図６】
0003232253.tif 000008
【図７】
0003232253.tif 000009
【図８】
0003232253.tif 000010